(57)【要約】【課題】撮像素子の前方に配置された光学部材の表面に付着した塵埃等の異物を効率的に取り除くことが可能なミラー駆動装置を提供すること。【解決手段】メインミラー（５０１）と、メインミラー（５０１）を保持するメインミラーホルダ（５０２）と、メインミラーホルダ（５０２）に支持され、サブミラー（５０３）を保持するサブミラーホルダ（５０４）と、を備えた撮像装置において、サブミラーホルダ（５０４）は、被写体光を焦点検出装置（３１）に導くための第１の位置と、被写体光をファインダ光学系（４）へ導くためのメインミラー待機位置まで回動した第２の位置と、撮像素子（３３）への被写体光を遮らない第３の位置を有した撮像装置において、メインミラー（５０１）とサブミラー（５０３）が一体となって第２の位置と第３の位置の間で所定回数の往復運動をするモードと、サブミラー（５０３）が第１の位置と第２の位置の間で所定回数の往復運動をするモードと、を有することを特徴とする。【選択図】図５
2017156373.tif 000002
【特許請求の範囲】
【請求項１】
メインミラー（５０１）と、
メインミラー（５０１）を保持するメインミラーホルダ（５０２）と、
メインミラーホルダ（５０２）に支持され、
サブミラー（５０３）を保持するサブミラーホルダ（５０４）と、を備えた撮像装置にi
いて、
サブミラーホルダ（５０４）は、被写体光を焦点検出用センサユニット（３１）に導くための第１の位置と、
被写体光をファインダ光学系（４）へ導くためのメインミラー待機位置まで回動した第２の位置と、
撮像素子（３３）への被写体光を遮らない第３の位置を有した撮像装置において、
メインミラー（５０１）とサブミラー（５０３）が一体となって第２の位置と第３の位置の間で所定回数の往復運動をするモードと、
サブミラー（５０３）が第１の位置と第２の位置の間で所定回数の往復運動をするモードと、
を有することを特徴とするミラー駆動装置。
【請求項２】
メインミラーホルダ（５０２）の先端がミラーアップストッパ（５０５）に当接せず、かつ、当接面（５０２ｂ）がメインミラー位置決め軸（５０７）に当接せずに所定回数の往復運動を行うミラー駆動範囲が設定されていることを特徴とする請求項１に記載のミラー駆動。
【請求項３】
サブミラーホルダ（５０４）に設けた当接面（５０４ｂ）がサブミラー位置決め軸（５０８）と当接せず、かつ、サブミラーホルダ（５０４）がメインミラーホルダ（５０２）に当接せずに所定回数の往復運動を行うミラー駆動範囲が設定されていることを特徴とする請求項１に記載のミラー駆動装置。
【請求項４】
前記モードを選択的に実施することが可能であることを特徴とする請求項１に記載のミラー駆動装置。
【発明の詳細な説明】
【技術分野】
【０００１】
本発明は、デジタルカメラ等の撮像装置における撮像素子の前方に配置された光学部材の表面に付着した塵埃等の異物を取り除く技術に関する。
【背景技術】
【０００２】
従来、一眼レフカメラなどの撮像装置では、シャッタやクイックリターンミラーといった機械的な作動部が撮像素子の近傍に配置されている。これらの作動部から発生した塵埃等の異物が撮像素子の被写体側に配置したカバーガラスや光学ローパスフィルタ、あるいは撮像素子の前方に配置されたピント板、撮影レンズ、焦点検出用センサユニットなどの光学部材に付着することがある。
【０００３】
撮像素子のカバーガラスや光学ローパスフィルタ、あるいは撮影レンズに異物が付着した場合、付着した部分が黒い点となって撮影画像に写り込み、画像の見栄えが低下してしまう。ピント板に異物が付着した場合、付着した部分が黒い点となってファインダ像に写り込み、撮影の支障になる。
【０００４】
焦点検出用センサユニットに異物が付着した場合、付着した部分の像に対して焦点検出を正常に行うことができず、撮影の支障になる。このような現象を回避するために、特許文献１には、撮像素子の被写体側に設けた光学ローパスフィルタを圧電素子で振動させることにより、光学ローパスフィルタの表面に付着した塵埃等の異物を除去する技術が提案されている。
【０００５】
また、特許文献２には、ミラーの回転駆動によってミラーボックス内で発生した空気流の少なくとも一部が流入する整流用開口部を備えたカメラが提案されている。特許文献２によれば、ミラーボックス内に浮遊している異物や前記振動により浮き上がった異物がこの空気流によって整流用開口部へ流出するため、異物が撮像素子に付着することを防止できる。
【先行技術文献】
【特許文献】
【０００６】
【特許文献１】特開2008-301271号公報
【特許文献２】特開2010-072278号公報
【発明の概要】
【発明が解決しようとする課題】
【０００７】
しかしながら、特許文献１に開示された従来技術は、光学ローパスフィルタの表面に付着した異物を取り除く技術であり、ピント板、撮影レンズ、焦点検出用センサユニットに付着した異物を取り除くことは難しい。
【０００８】
また、特許文献２に開示された従来技術は、ミラーボックス内に浮遊している異物や前記振動により浮き上がった異物を整流用開口部へ流出するために、ミラー部を撮像光路から退避させるものである。この場合、ミラー部はミラーダウン状態からミラーアップ状態まで駆動し、ピント板、撮影レンズ、焦点検出用センサユニットのすべてに対して異物の取り除きを行うため、省電力の観点から、効率の良いミラー駆動シーケンスとは言い難い。
【０００９】
そこで、本発明の目的は、撮像素子の前方に配置された光学部材の表面に付着した塵埃等の異物を効率的に取り除くことが可能なミラー駆動シーケンスを提供することにある。
【課題を解決するための手段】
【００１０】
上記の目的を達成するために、本発明に係るミラー駆動装置は、
メインミラー（５０１）と、
メインミラー（５０１）を保持するメインミラーホルダ（５０２）と、
メインミラーホルダ（５０２）に支持され、
サブミラー（５０３）を保持するサブミラーホルダ（５０４）と、を備えた撮像装置において、
サブミラーホルダ（５０４）は、被写体光を焦点検出装置（３１）に導くための第１の位置と、
被写体光をファインダ光学系（４）へ導くためのメインミラー待機位置まで回動した第２の位置と、
撮像素子（３３）への被写体光を遮らない第３の位置を有した撮像装置において、
メインミラー（５０１）とサブミラー（５０３）が一体となって第２の位置と第３の位置の間で所定回数の往復運動をするモードと、
サブミラー（５０３）がメインミラー（５０１）から独立して第１の位置と第２の位置の間で所定回数の往復運動をするモードと、
を有することを特徴とする。
【発明の効果】
【００１１】
本発明に係るミラー駆動装置によれば、撮像素子の前方に配置された光学部材の表面に付着した塵埃等の異物を効率的に取り除くことが可能なミラー駆動シーケンスを提供することができる。
【図面の簡単な説明】
【００１２】
【図１】本実施例における撮像装置の主要な電気構成図である。
【図２】本実施例における撮像装置の構成を説明する図である。
【図３】本実施例におけるミラーユニットの構成を説明する分解斜視図である。
【図４】本実施例におけるメインミラーホルダとサブミラーホルダの動作詳細図である。
【図５】本実施例におけるデジタル一眼レフカメラのミラー駆動シーケンスを説明するための図である。
【発明を実施するための形態】
【００１３】
以下に、本発明の好ましい実施の形態を、添付の図面に基づいて詳細に説明する。
【００１４】
［実施例１］
図１は本実施の形態に係るデジタル一眼レフカメラの主要な電気的構成を示すブロック図である。
【００１５】
カメラ本体に内蔵されたマイクロコンピュータの中央処理装置１００（以下、ＭＰＵ１００という）は、カメラの動作制御を司るものであり、各要素に対して様々な処理や指示を実行する。ＭＰＵ１００に内蔵されたＥＥＰＲＯＭ１００ａは、時刻計測回路１０９の計時情報やその他の情報を記憶可能である。
【００１６】
ＭＰＵ１００には、ミラー駆動回路１０１、焦点検出回路１０２、シャッタ駆動回路１０３、映像信号処理回路１０４、スイッチセンス回路１０５、測光回路２４が接続されている。また、液晶表示駆動回路１０７、バッテリチェック回路１０８、時刻計測回路１０９、電源供給回路１１０、圧電素子駆動回路１１１も接続されている。これらの回路はＭＰＵ１００の制御により動作するものである。また、ＭＰＵ１００は、撮影レンズユニット内に配置されたレンズ制御回路２０１と、マウント接点２１を介して通信を行う。
【００１７】
マウント接点２１は撮影レンズユニットが接続されるとＭＰＵ１００へ信号を送信する機能も備えている。これにより、レンズ制御回路２０１は、ＭＰＵ１００との間で通信を行い、撮影レンズユニット内の撮影レンズ２００および絞り２０４の駆動を、ＡＦ駆動回路２０２および絞り駆動回路２０３を介して行うことが可能となる。なお、本実施の形態では便宜上１枚の撮影レンズで示しているが、実際は多数のレンズ群により構成されている。
【００１８】
ＡＦ駆動回路２０２は、たとえばステッピングモータによって構成され、レンズ制御回路２０１の制御によって撮影レンズ２００内のフォーカスレンズ位置を変化させることにより、撮像素子３３に撮影光束の焦点を合わせるように調整する。
【００１９】
２０３は絞り駆動回路であり、たとえばオートアイリスなどによって構成され、レンズ制御回路２０１によって絞り２０４を変化させ、光学的な絞り値を得るように構成されている。不図示のミラー駆動ユニットは、メインミラー５０１、サブミラー５０３から構成されている。不図示のミラー駆動ユニットは、第１の位置（図２(ａ)）から第２の位置（図２(ｂ)）へ、更に第２の位置から第３の位置（図２(c)）へと移動可能である。
【００２０】
メインミラー５０１は、不図示のミラー駆動ユニットの第１の位置にて、撮像レンズ２００を通過する撮像光束をファインダ光学系４へ導くとともに、その一部を透過させてサブミラー５０３に導く。
【００２１】
サブミラー５０３は、透過された撮影光束を焦点検出用センサユニット３１へ導く。
【００２２】
また、不図示のミラー駆動ユニットは、撮像時には、撮像レンズ２００から撮像素子３３に向かう光束を遮らないように第３の位置に退避する。
【００２３】
ミラー駆動回路１０１は、不図示のミラー駆動ユニットを第１の位置から第２、第３の位置へ、または第３の位置から第２、第１の位置へ駆動するためのものであり、具体的には、たとえばモータ（不図示）とギヤトレイン（不図示）などから構成される。
【００２４】
焦点検出センサユニット３１は不図示である結像面近傍に配置されたフィールドレンズ、反射ミラー及び、２次結像レンズ、絞り、複数のＣＣＤから成るラインセンサ等から構成されている。
【００２５】
焦点検出センサユニット３１から出力された信号は、焦点検出回路１０２へ供給され、被写体像信号に換算された後ＭＰＵ１００へ送信される。
【００２６】
ＭＰＵ１００は被写体像信号に基づいて、位相差検出法による焦点検出演算を行う。そして、デフォーカス量およびデフォーカス方向を求め、これに基づき、レンズ制御回路２０１およびＡＦ駆動回路２０２を介して、撮影レンズ２００内のフォーカスレンズを合焦位置まで駆動する。
【００２７】
ペンタプリズム２２は、メインミラー５０１によって反射され、ピント板２を通過した撮影光束を正立正像に変換反射する光学部材である。使用者は、ファインダ光学系４を介して、ファインダ接眼レンズ１８から被写体像を観察することができる。ペンタプリズム２２は、撮影光束の一部を測光センサ２３にも導く。測光回路２４は、測光センサ２３の出力を得て、観察面上の各エリアの輝度信号に変換し、ＭＰＵ１００に出力する。ＭＰＵ１００は、得られる輝度信号から露出値を算出する。
【００２８】
１０６は機械式フォーカルプレーンシャッタであり、ユーザがファインダにより被写体像を観察している時には撮影光束を遮る。また撮像時にはレリーズ信号に応じて、不図示の先羽根群と後羽根群の走行する時間差により所望の露光時間を得るように構成されている。
【００２９】
フォーカルプレーンシャッタ１０６は、ＭＰＵ１００の指令を受けたシャッタ駆動回路１０３によって制御される。
【００３０】
３３は撮像素子で、本実施例では撮像デバイスであるＣＭＯＳが用いられる。撮像デバイスには、ＣＣＤ型、ＣＭＯＳ型およびＣＩＤ型など様々な形態があり、何れの形態の撮像デバイスを採用してもよい。
【００３１】
３４はクランプ／ＣＤＳ（相関二重サンプリング）回路であり、Ａ／Ｄ変換する前の基本的なアナログ処理を行うとともに、クランプレベルの変更も可能である。
【００３２】
３５はＡＧＣ（自動利得調整装置）であり、Ａ／Ｄ変換する前の基本的なアナログ処理を行うとともに、ＡＧＣ基本レベルの変更も可能である。
【００３３】
３６はＡ／Ｄ変換器であり、撮像素子３３のアナログ出力信号をデジタル信号に変換する。
【００３４】
３２は略矩形の形状を有する赤外線カットフィルタで、撮像素子７に入射される光束の不要な赤外光をカットする。また、異物の付着を防止するために、表面は導電性物質で覆われている。
【００３５】
１１３は光学ローパスフィルタで、水晶からなる複屈折板および位相板を複数枚貼り合わせて積層し、更に赤外カットフィルタを貼り合わせて構成している。
【００３６】
１１２は積層型の圧電素子であり、ＭＰＵ１００に指令を受けた圧電素子駆動回路１１１により加振され、その振動を光学ローパスフィルタ４１０に伝えるように構成されている。
【００３７】
１０４は映像信号処理回路であり、デジタル化された画像データに対してガンマ／ニー処理、フィルタ処理、モニタ表示用の情報合成処理など、ハードウエアによる画像処理全般を実行する。この映像信号処理回路１０４からのモニタ表示用の画像データは、カラー液晶駆動回路１１５を介してカラー液晶モニタ１９に表示される。また、映像信号処理回路１０４は、ＭＰＵ１００の指示により、メモリコントローラ３８を通じて、バッファメモリ３７に画像データを保存することも可能である。更に、映像信号処理回路１０４は、ＪＰＥＧなどの画像データ圧縮処理を行う機能も有している。連写撮影など連続して撮影が行われる場合は、一旦バッファメモリ３７に画像データを格納し、メモリコントローラ３８を通して未処理の画像データを順次読み出すことも可能である。これにより映像信号処理回路１０４は、Ａ／Ｄ変換器３６から入力されてくる画像データの速度に関わらず、画像処理や圧縮処理を順次行うことが可能となる。
【００３８】
メモリコントローラ３８は、外部インタフェース４０（ビデオ信号出力用ジャックおよびＵＳＢ出力用コネクタ等が相当する）から入力される画像データをメモリ３９に記憶することや、メモリ３９に記憶されている画像データを外部インタフェース４０から出力する機能についても有する。なお、メモリ３９は、カメラ本体に対して着脱可能なフラッシュメモリなどである。
【００３９】
１０５はスイッチセンス回路であり、各スイッチの操作状態に応じて入力信号をＭＰＵ１００に送信する。７ａは、シャッタボタン７の第１ストロークによりオンするスイッチＳＷ１である。７ｂは、シャッタボタン７の第２ストロークによりオンするスイッチＳＷ２である。スイッチＳＷ２がオンされると、撮影開始の指示がＭＰＵ１００に送信される。また、メイン操作ダイヤル８、サブ操作ダイヤル２０、撮影モード設定ダイヤル１４、メインＳＷ４３、ＡＦモード切り替えＳＷ４４、フォーカスモード切り替えＳＷ４５、ＡＦロック指示部材４６が接続されている。
【００４０】
１０７は液晶表示駆動回路であり、ＭＰＵ１００の指示に従って、外部液晶表示装置９やファインダ内液晶表示装置４１を駆動する。
【００４１】
１０８はバッテリチェック回路であり、ＭＰＵ１００からの信号に従って、所定時間バッテリチェックを行い、その検出出力をＭＰＵ１００へ送る。
【００４２】
４２は電源部であり、カメラの各要素に対して、必要な電源を供給する。
【００４３】
１０９は時刻計測回路でメインＳＷ４３がＯＦＦされて次にＯＮされるまでの時間や日付を計測し、ＭＰＵ１００からの指令により、計測結果をＭＰＵ１００へ送信することができる。
【００４４】
次に、図２〜３を参照して、本発明における、デジタル一眼レフカメラの不図示のミラー駆動ユニットの状態について説明する。
【００４５】
図２はデジタル一眼レフカメラの構成を説明する図である。
【００４６】
図２において、カメラ本体１には交換レンズ２００が取り付けられている。カメラ本体１は、焦点検出センサユニット３１、ファインダ光学系４、ミラーボックス４００、撮像素子３３、測光センサ２３、および不図示のミラー駆動ユニットを備えている。
【００４７】
図２（ａ）はメインミラーホルダ５０２およびサブミラーホルダ５０４はミラーダウン位置に待機している状態を示す。不図示のミラー駆動ユニットが光路内に位置し、交換レンズ２００を通過した光束はメインミラー５０１で分離される。メインミラーで反射した光束は、ファインダ光学系４のペンタプリズム２２に導かれる。
【００４８】
一方、メインミラー５０１を透過した光束はサブミラー５０４で反射して、焦点検出センサユニット３１に導かれる。したがって、図２（ａ）の状況にて、交換レンズ２００を透過した光束は、撮像素子３３に導かれない。この状態を本実施例では第１のミラーユニット位置と呼ぶ。
【００４９】
図２（b）はメインミラーホルダ５０２はミラーダウン位置に位置し、サブミラーホルダ５０４がメインミラー５０１と重なる位置までミラーアップしている状態を示す。メインミラー５０１に反射した交換レンズ２００を通過した光束は、焦点検出センサユニット３１に導かれることなく、ファインダ光学系４のペンタプリズム２２に導かれる。この状態を本実施例では第２のミラーユニット位置と呼ぶ。
【００５０】
図２（c）はメインミラーホルダ５０２およびサブミラーホルダ５０４がミラーアップ位置に待機している状態を示す。図２（c）の状態では、メインミラーホルダ５０２およびサブミラーホルダ５０４はミラーボックス４００の上方に回動し不図示のミラー駆動ユニットは撮影光路内から退避する。これにより交換レンズ２００を通過した光束は、ファインダ光学系４および焦点検出センサユニット３１に導かれることなく、撮像センサ３３に導かれる。この状態を本実施例では第３のミラーユニット位置と呼ぶ。
【００５１】
以上のようにミラー駆動ユニットは、不図示のミラー駆動ユニットを図２（ａ）に示すミラーダウン位置と図２（ｃ）に示すミラーアップ位置との間を駆動する。
【００５２】
図３は不図示のミラー駆動ユニットの構成を説明する分解斜視図であり、図２におけるメインミラーホルダ５０２及びサブミラーホルダ５０４の関係をここで説明する。
【００５３】
不図示のミラー駆動ユニットはメインミラー５０１を保持するメインミラーホルダ５０２と、サブミラー５０３を保持するサブミラーホルダ５０４を有する。メインミラーホルダ５０２には回転軸５０２ａ、５０２ｂが形成されており、ミラーボックス４００に回転軸５０２ａを中心として回動するよう取り付けられている。
【００５４】
サブミラーホルダ５０４には穴部５０４ａが形成されており、メインミラーホルダ５０２に形成された軸５０２ｂに軸支され、該軸５０２ｂを中心に回動する。メインミラーホルダ５０２はサブミラーホルダ５０４に押し上げられることでミラーアップ動作を行う。また、不図示のミラー駆動ユニットがミラーダウン動作中は、メインミラーホルダ５０２はサブミラーホルダ５０４に引き下げられることでミラーダウン動作を行う機構となっており、前述図２の動作を可能としている。
【００５５】
図４を用いて更に詳細を説明する。
【００５６】
図４はメインミラーホルダ５０２とサブミラーホルダ５０４の動作詳細図である。（ａ）、（ｄ）は前記第１のミラーユニット位置を示し、（ｂ）、（ｅ）は前記第２のミラーユニット位置を示し、（ｃ）、（ｆ）は前記第３のミラーユニット位置の状態を示す。
【００５７】
（ａ）において、サブミラーホルダ５０４は不図示のバネによりミラーボックス４００に取り付けられたサブミラー位置決め軸５０８に付勢されている。また、メインミラーホルダ５０２は不図示のバネによりミラーボックス４００に取り付けられたメインミラー位置決め軸５０７に付勢されて第１のミラーユニット位置の状態を保っている。この状態において、不図示のミラー駆動ユニットによりサブミラーホルダ駆動軸５０４ｃに図示Ｆ方向に動力が伝達されると軸５０２ｂを回転中心としてサブミラーホルダ５０４が駆動し、（ｂ）の第２のミラーユニット位置まで回動する。このとき、サブミラー５０３はメインミラー５０１から独立して回動する。
【００５８】
第２のミラーユニット位置ではサブミラーホルダ５０４はメインミラーホルダ５０２に当接しその付勢力は、メインミラーホルダ５０２がメインミラー位置決め軸５０７から浮かない付勢力であれば良い。この状態において、不図示のミラー駆動ユニットによりサブミラーホルダ駆動軸５０４ｃに図示Ｆ方向に動力が伝達されると、サブミラーホルダ５０４によってメインミラーホルダ５０２を持ち上げられ、（ｃ）の第３のミラーユニット位置まで回動する。このとき、メインミラー５０１とサブミラー５０３は一体となって回動する。
【００５９】
第３のミラーユニット位置では、サブミラーホルダ５０４によってメインミラーホルダ５０２をミラーボックス４００に取り付けられたミラーアップストッパ５０５に付勢され、不図示のミラー駆動ユニットは撮影光路内から退避する位置を保っている。
【００６０】
（ｄ）では不図示のミラー駆動ユニットによりサブミラーホルダ駆動軸５０４ｃに図示Ｆ方向に動力を伝達することでサブミラーホルダ５０４のダウンが開始される。この時メインミラーホルダ５０２はサブミラーホルダ５０４に連結された不図示のカムによりサブミラーホルダ５０４と同時に押し下げられ、メインミラーホルダ５０２がメインミラー位置決め軸５０７に当接し（ｅ）の第２のミラーユニット位置の状態となる。この時前記不図示のカムはメインミラーホルダ５０２から外れる。
【００６１】
（ｅ）の状態から不図示のミラー駆動ユニットによりサブミラーホルダ駆動軸５０４ｃに図示Ｆ方向に動力を伝達することでサブミラーホルダ５０４はサブミラー位置決め軸５０８に当接し（ｆ）の第１のミラーユニット位置に戻る。尚、前記ミラー駆動ユニットの機構については、上記動作が達成できれば手段は問わない。
【００６２】
以下、図１〜４を参照して、本実施形態の撮像素子３３の前方に配置された光学部材の表面に付着した異物を効率的に取り除くことが可能なミラー駆動シーケンスについて説明する。
【００６３】
図５は本実施例におけるデジタル一眼レフカメラのミラー駆動シーケンスを説明するための図である。
【００６４】
図５に示すように、本実施形態におけるミラー駆動シーケンスは、第２のミラーユニット位置から第３のミラーユニット位置の間で行うミラー往復運動、第１のミラーユニット位置から第２のミラーユニット位置の間で行うミラー往復運動および圧電素子１１２による振動の計３つのモードで構成される。
【００６５】
図５（ａ）のステップＳ１０１におけるモード１は、ピント板２および撮影レンズ２００の表面に付着した異物を取り除くためのミラー駆動シーケンスである。ステップＳ１０１において、モード１がＯＮになった場合、ステップＳ１０２に進む。
【００６６】
ステップＳ１０２では、第２のミラーユニット位置と第３のミラーユニット位置の間において、サブミラー５０３が往復運動を開始する。
【００６７】
次に、ステップＳ１０３に進む。ステップＳ１０３では、前記モード１の往復運動を所定回数繰り返すことによって、モード１の空気流が発生する。モード１の空気流は第２のミラーユニット位置と第３のミラーユニット位置の間、すなわち、ピント板２および撮影レンズ２００近傍で発生し、ピント板２および撮影レンズ２００の表面に付着した異物を取り除く。ステップＳ１０３にて、モード１の往復運動が所定回数を超えた場合、ステップＳ１０４に進み、不図示のミラー駆動ユニットは撮影待機状態となる。モード１の好ましい実施形態として、不図示のミラー駆動ユニットが駆動する範囲を、メインミラーホルダ５０２の先端がミラーアップストッパ５０５に当接せず、かつ、当接面５０２ｃがメインミラー位置決め軸５０７に当接しない範囲とすることができる。このモード１のミラー駆動範囲において、メインミラー５０１は周囲の部品と衝突せず駆動するため、耐久性が向上する。また、衝突時における異物の浮きを防ぐことができる。
【００６８】
図５（ｂ）のステップＳ２０１におけるモード２は、焦点検出用センサユニット３１の表面に付着した異物を取り除くためのミラー駆動シーケンスである。ステップＳ２０１において、モード２がＯＮになった場合、ステップＳ２０２に進む。
【００６９】
ステップＳ２０２では、第１のミラーユニット位置と第２のミラーユニット位置の間において、メインミラー５０１とサブミラー５０３が一体となって往復運動を開始する。
【００７０】
次に、ステップＳ２０３に進む。ステップＳ２０３では、前記モード２の往復運動を所定回数繰り返すことによって、モード２の空気流が発生する。モード２の空気流は第１のミラーユニット位置と第２のミラーユニット位置の間、すなわち、焦点検出用センサユニット３１近傍で発生し、焦点検出用センサユニット３１の表面に付着した異物を取り除く。ステップＳ２０３にて、モード２の往復運動が所定回数を超えた場合、ステップＳ２０４に進み、不図示のミラー駆動ユニットは撮影待機状態となる。
【００７１】
モード２の好ましい実施形態として、不図示のミラー駆動ユニットが駆動する範囲を、サブミラーホルダ５０４に設けた当接面５０４ｂがサブミラー位置決め軸５０８と当接せず、かつ、サブミラーホルダ５０４がメインミラーホルダ５０２に当接しない範囲とすることができる。このモード２のミラー駆動範囲において、サブミラー５０３は周囲の部品と衝突せずに駆動するため、耐久性が向上する。また、衝突時における異物の浮きを防ぐことができる。
【００７２】
図５（ｃ）のステップＳ３０１におけるモード３は、撮像素子３３の被写体側に設けた光学ローパスフィルタ１１３に付着した異物を取り除くためのシーケンスである。ステップＳ３０１でモード３がＯＮになった場合、ステップＳ３０２に進む。
【００７３】
ステップＳ３０２では、圧電素子１１２が振動を開始する。次に、ステップＳ３０３に進む。
【００７４】
ステップＳ３０３では、前記圧電素子１１２の振動を光学ローパスフィルタ１１３に伝えることにより、光学ローパスフィルタ１１３の表面に付着した異物を振るい落とす。ステップＳ３０３にて、圧電素子１１２の振動が所定時間を超えた場合、ステップＳ３０４に進み、不図示のミラー駆動ユニットは撮影待機状態となる。
【００７５】
以上３つのモードによって、ミラーボックス内の光学部材に付着した異物をピント板２、撮影レンズ２００、焦点検出用センサユニット３１、撮像素子３３の被写体側に設けた光学ローパスフィルタ１１３等、選択して取り除くことが可能となる。例えば、ピント板２および焦点検出用センサユニット３１の表面に異物が付着した場合、前記モード１およびモード２のミラー駆動シーケンスを選択し、実施することで、これらの異物を取り除くことが可能である。ピント板２の表面だけに異物が付着した場合は、前記モード１だけ選択し、実施すればよい。以上、本発明の好ましい実施形態について説明したが、本発明はこれらの実施形態に限定されず、その要旨の範囲内で種々の変形及び変更が可能である。
【符号の説明】
【００７６】
４  ファインダ光学系、３１  焦点検出用センサユニット、３３  撮像素子、
５０１  メインミラー、５０２  メインミラーホルダ、５０３  サブミラー、
５０４  サブミラーホルダ
【図１】
2017156373.tif 000003
【図２】
2017156373.tif 000004
【図３】
2017156373.tif 000005
【図４】
2017156373.tif 000006
【図５】
2017156373.tif 000007